(57)【要約】【課題】  照明装置としての基本機能である照明に加え、ＬＥＤ光源２０からの光を利用して画像を映し出すことができるＬＥＤ照明装置を提供する。【解決手段】    ＬＥＤ光源２０からの光を照明光として外部へ出射する第一の光出射面Ａと、この第一の光出射面Ａとは異なる方向の外部に向かってＬＥＤ光源２０からの光を出射する第二の光出射面Ｂとを設ける。第二の光出射面Ｂには、ＬＥＤ光源２０からの光を利用して画像を映し出す。画像は、ＬＥＤ光源２０と第二の光出射面Ｂとの間に配置した光透過部材１４によって形成される。【選択図】      図２
2018190598.tif 000002
【特許請求の範囲】
【請求項１】
ＬＥＤを光源とするＬＥＤ照明装置において、
前記ＬＥＤ光源からの光を外部へ出射する第一の光出射面と、この第一の光出射面とは異なる方向の外部に向かって前記ＬＥＤ光源からの光を出射する第二の光出射面とを有し、
前記ＬＥＤ光源からの光を利用して前記第二の光出射面に画像を映し出す構成としたことを特徴とするＬＥＤ照明装置。
【請求項２】
前記ＬＥＤ光源からの光を透過させることで当該透過光により画像を形成する光透過部材を備え、
前記ＬＥＤ光源からの光を前記光透過部材に透過させ、当該光透過部材からの透過光を前記第二の光出射面から出射させることで、前記第二の光出射面に画像を映し出すことを特徴とした請求項１のＬＥＤ照明装置。
【請求項３】
前記光透過部材は、部分的に光の透過率または光の拡散状態を変えることで、透過光が画像を形成する構成としたことを特徴とする請求項２のＬＥＤ照明装置。
【請求項４】
前記光透過部材は、内部における光の透過率または光の拡散状態を部分的に変えることで、正面または裏面の一方から入射して他方から出射した透過光が画像を形成する構成としたことを特徴とする請求項３のＬＥＤ照明装置。
【請求項５】
平板状の導光板を備え、
前記ＬＥＤ光源からの光を前記導光板の端縁から取り込み前記導光板の正面および裏面の双方に導くとともに、前記導光板の正面に導かれた光が前記第一の光出射面から外部へ出射し、一方、前記導光板の裏面に導かれた光が前記光透過部材を透過して前記第二の光出射面から外部へ出射する構成としたことを特徴とする請求項２乃至４のいずれか一項に記載のＬＥＤ照明装置。
【請求項６】
表面の異なった部位にそれぞれ前記第一の光出射面と前記第二の光出射面とを有するとともに、内部に前記ＬＥＤ光源および前記導光板が組み込まれ、かつ前記導光板の裏面と前記第二の光出射面との間に、前記光透過部材を交換可能に配置できる光透過部材配置部が形成された照射部本体を備えることを特徴とした請求項５のＬＥＤ照明装置。
【請求項７】
前記光透過部材配置部は、複数種類の前記光透過部材を配置できるとともに、配置された複数種類の前記光透過部材の一部または全部を交換可能な構成としたことを特徴とする請求項６のＬＥＤ照明装置。
【請求項８】
前記光透過部材配置部は、複数種類の前記光透過部材を層状に重ねて配置でき、
これら層状に重ねられた各光透過部材を透過してきた光により画像が形成される構成としたことを特徴とする請求項７のＬＥＤ照明装置。
【発明の詳細な説明】
【技術分野】
【０００１】
この発明は、ＬＥＤ（発光ダイオード）を光源として備え、卓上ＬＥＤスタンドなどに具現化されるＬＥＤ照明装置に関する。
【背景技術】
【０００２】
特許文献１には、本願出願人が先に提案したＬＥＤ照明装置が開示されている。同文献１のＬＥＤ照明装置は、例えば、卓上ＬＥＤスタンドに具現化され、下フレーム（１７）の下面から卓上を照らす照明光が下向きに照射される。さらに、開閉自在な上フレーム（１６）にはミラー（２０）が設けられ、上フレーム（１６）を閉じた状態では、ミラー（１６）が鏡具として機能し、メイクや髭剃りなどに際してユーザの顔を映し出す。そして、下フレーム（１７）の上面から上向きに照射される光が、ユーザの顔を照らしてメイクや髭剃りなどの作業を行い易くする。このように、照明器具ないし鏡具のようにそれぞれ単機能の製品とは異なる付加価値を有するＬＥＤ照明装置を少ない部品点数で簡単安価に提供することができる機能を有している。
また、上フレーム（１６）を閉じた状態では、ＬＥＤ光源（３４）からの光をミラー（２０）に反射させ、下フレーム（１７）の下面から下向きに照射する光に重畳することで、充分な照明効率を確保することができる機能も兼ね備えている。
なお、上記の括弧内の符号は、特許文献１の公報に付されていた符号を引用したものである。
【先行技術文献】
【特許文献】
【０００３】
【特許文献１】特許第５８６４５３６号公報
【発明の概要】
【発明が解決しようとする課題】
【０００４】
さて、近年は商品差別化の一貫として、ＬＥＤ照明装置にも従来にない機能を備えて付加価値を高めることが要請されている。
そこで、本発明は、照明装置としての基本機能である照明に加え、ＬＥＤ光源からの光を利用して画像を映し出すことができるＬＥＤ照明装置の提供を目的とする。
【課題を解決するための手段】
【０００５】
すなわち、本発明は、ＬＥＤを光源とするＬＥＤ照明装置において、
ＬＥＤ光源からの光を外部へ出射する第一の光出射面と、この第一の光出射面とは異なる方向の外部に向かってＬＥＤ光源からの光を出射する第二の光出射面とを有し、
ＬＥＤ光源からの光を利用して第二の光出射面に画像を映し出す構成としたことを特徴とする。
【０００６】
上述した本発明は、ＬＥＤ光源からの光を透過させることで当該透過光により画像を形成する光透過部材を備えた構成とすることが好ましい。ＬＥＤ光源からの光をこの光透過部材に透過させ、当該光透過部材からの透過光を第二の光出射面から出射させることで、第二の光出射面に画像が映し出される。
【発明の効果】
【０００７】
本発明によれば、ＬＥＤ光源から導かれ第一の光出射面から出射する光によって、照明装置としての照明機能を保持しつつ、さらにＬＥＤ光源から導かれ第二の光出射面から出射する光によって、当該第二の光出射面に画像を映し出すことができる。
【図面の簡単な説明】
【０００８】
【図１】本発明のＬＥＤ照明装置を卓上ＬＥＤスタンドに具現化した実施形態の外観を示す図で、（ａ）は側面図、（ｂ）は背面図である。
【図２】本発明の実施形態に係るＬＥＤ照明装置の主要な構成要素を説明するための図で、（ａ）は上フレームの平面図、（ｂ）は照射部本体の分解斜視図である。
【図３】（ａ）は上フレームの上面を示す平面図、（ｂ）は照射部本体の基本構造を模式的に示す断面図である。
【図４】光透過部材の別の構成例を示す断面図である。
【図５】光透過部材配置部と光透過部材の別の構成例を示す分解斜視図である。
【図６】光透過部材配置部と光透過部材のさらに別の構成例を示す分解斜視図である。
【発明を実施するための形態】
【０００９】
以下、この発明の実施の形態について図面を参照して詳細に説明する。
本実施形態では、図１（ａ）（ｂ）に示すように、卓上ＬＥＤスタンドに本発明のＬＥＤ照明装置を具現化した例を示す。
【００１０】
卓上ＬＥＤスタンドは、勉強机、オフィスデスク、パソコンデスクなどの机上に置かれ、ユーザが机上（天板の上面）で各種作業を行うに際し、その作業エリアを照明する用途に用いられる照明器具である。
【００１１】
図１（ａ）（ｂ）に示す卓上ＬＥＤスタンドは、卓上に配置する基台１と、この基台１から上方に延びる支持部２と、支持部２の根元に設けられた操作部３と、支持部２の先端に取り付けられた照射部本体４とを構成要素として含んでいる。
基台１の形状は任意であるが、全体が簡単に倒れたりしないような重量配分で構成するか、あるいは下面にマグネットや吸盤を配置して支持平面と結合するような構造を用いることができる。
支持部２は、フレキシブルチューブのような折り曲げ自在な棒状部材や、複数の棒状部材を回動自在なジョイントで連結した構成のものなど、各種公知の構成とすることができる。  操作部３には、後述するＬＥＤ光源のオン／オフを制御するスイッチ５が配置してある。またスイッチ５の下部には、電源供給用のＤＣプラグ６をつなぐ電源接続端子７が設けてある。ＤＣプラグ６は家庭用コンセントなどから供給されるＡＣ１００Ｖを所定電圧の直流電源に変換するいわゆるＡＣアダプタ（不図示）の一部で、ＡＣアダプタと照明装置とをつなぐものである。なお、操作部３内に電源回路を内蔵してＡＣコードを操作部３から延出するなど、給電手段は各種公知の構成を適用することができる。また、蓄電池を内蔵して、コードレスで使用する構成とすることもできる。
なお、本発明を卓上ＬＥＤスタンドに具現化するときは、図１（ａ）（ｂ）に示す構成に限定されるものではなく、既に公知となっている卓上ＬＥＤスタンドの構成を利用したり、ユーザニーズに応じて適宜設計変更を施した上で具現化できることは勿論である。
【００１２】
図２（ａ）（ｂ）は、照射部本体４の構成を示している。同図（ｂ）に示すように、照射部本体４は、上フレーム１０と下フレーム１１で構成され、下フレーム１１の背面中央部が、支持部２の先端に取り付けられている。
下フレーム１１には、ＬＥＤ光源（図２には不図示）と導光板１２が組み込まれており、導光板１２の上側に光透過部材配置部１３が形成してある。光透過部材配置部１３には、光透過部材１４が配置される。図２（ｂ）に示す構成例では、下フレーム１１の上部周縁部が光透過部材配置部１３を構成しており、この下フレーム１１の上部周縁部に光透過部材１４を配置する構成となっている。また、図２（ｂ）に示す構成例では、下フレーム１１の上部周縁部に複数の位置決め凸部１１ａが設けてあり、光透過部材１４に設けた複数の位置決め孔１４ａをこれら位置決め凸部１１ａに嵌め合わせることで、光透過部材１４をあらかじめ設定した位置へ正確に配置できるようになっている。
【００１３】
下フレーム１１の下面は、照明光を外部へ出射する第一の光出射面Ａを形成している。
上フレーム１０は、下フレーム１１の上面を覆うように重ね合わせて装着される。この上フレーム１０の上面は、図２（ａ）に示すように、ＬＥＤ光源２０からの光を利用して画像を映し出す第二の光出射面Ｂを形成している。
【００１４】
上述した光透過部材配置部１３は、導光板１２の裏面（上面）と第二の光出射面Ｂとの間に、光透過部材１４を交換可能に配置できる構成であれば、図２（ｂ）に示した構成に限定されるものではない。
【００１５】
図３（ｂ）は、照射部本体４の基本構造を模式的に示す断面図で、図３（ａ）は上フレーム１０の上面を示す平面図である。
下フレーム１１には、平板状の導光板１２が組み込まれており、さらのこの導光板１２の一端縁に沿って複数のＬＥＤ光源２０が並べて配設されている。図３（ｂ）では、紙面垂直方向に複数のＬＥＤ光源２０が並べて配設されている。なお、ＬＥＤ光源２０は、図示の位置だけではなく導光板１２の他の端縁に沿って配置してもよい。その場合、導光板１２の複数の端縁に沿って配置してもかまわない。
【００１６】
導光板１２は、たとえば図３（ｂ）に矢印で示すように、ＬＥＤ光源２０からの光を端縁から取り込み、下面および上面の双方に当該ＬＥＤ光源２０からの光を導いて、これら下面および上面から出射する機能を備えた光学部材である。この種の機能を備えた光学部材は、既に周知であり、それら周知の光学部材を導光板１２に適用することができる。なお、本実施形態では、導光板１２の正面が図３（ｂ）の下面で、裏面が同図（ｂ）の上面に配置してある。
【００１７】
下フレーム１１には拡散板１５が組み込まれており、この拡散板１５の上面が導光板１２の下面と対向して配置してある。拡散板１５は、たとえば乳白色の樹脂板など、所望の照明光拡散特性が得られる部材で構成する。導光板１２の下面から出射されるＬＥＤ光源２０の光が、拡散板１５で拡散され、拡散板１５の下面から外部へ出射される。この拡散板１５の下面が、第一の光出射面Ａを形成しており、この第一の光出射面Ａから出射した光は照明光として機能する。
【００１８】
また、光透過部材配置部１３に配置された光透過部材１４は、下面が導光板１２の上面（裏面）と対向しており、導光板１２の上面から出射されるＬＥＤ光源２０の光が、光透過部材１４の下面に照射される。
【００１９】
光透過部材１４は、ＬＥＤ光源２０からの光を透過させることで当該透過光により画像を形成する機能を備えた光学部材である。導光板１２の上面から出射してきたＬＥＤ光源２０からの光を、光透過部材１４に透過させて、その透過光を第二の光出射面Ｂから出射することで、第二の光出射面Ｂに画像が映し出される。
【００２０】
上フレーム１０にも拡散板１６が組み込まれており、この拡散板１６の下面が導光板１２の上面と対向して配置されるとともに、拡散板１６の上面が第二の光出射面Ｂを形成している。拡散板１６の構造は上フレーム１０のものと同様であり、たとえば乳白色の樹脂板など、所望の光拡散特性が得られる部材で構成する。導光板１２を透過してきた透過光が、拡散板１６で拡散され、拡散板１６の上面（すなわち、第二の光出射面Ｂ）から外部へ出射される。この状態において、透過光の形成する画像が、第二の光出射面Ｂに映し出される。
【００２１】
光透過部材１４が形成する画像は、任意にデザインすることができ、たとえば装飾模様の画像を形成すれば、第二の光出射面Ｂに装飾性を高めた模様の画像が映し出されて、インテリアとしての付加価値を高めることができる。
また、光透過部材１４により文字や記号の画像を形成すれば、第二の光出射面Ｂに意味を有する文字や記号の画像が写し出され、案内板、案内板、表示板などの機能を第二の光出射面Ｂに付与することができる。
【００２２】
光透過部材１４は、部分的に光の透過率を変えることで画像が形成されるように構成することができる。たとえば、図３（ｂ）に示すように遮光性を有する平板の一部を切り抜いて透孔１４ｂを形成することで、透孔１４ｂからのみ光が透過して第二の光出射面Ｂから外部へ出射される。これにより、平板の切り抜き形状に対応した画像が第二の光出射面Ｂに写し出される。
【００２３】
ここで、図３（ａ）に示すように文字を切り抜けば、文字画像が第二の光出射面Ｂに写し出される。同様に、切り絵のように、装飾模様や絵柄を切り抜けば、それら装飾模様や絵柄に対応した画像が第二の光出射面Ｂに写し出される。
【００２４】
また、アクリル板などの透明な平板の表面に塗料を使用して模様、文字を含む記号、絵柄などを描くことで、塗料に光の一部または全部が吸収される。このようにして光の透過率を部分的に変えた光透過部材１４を製作することもできる。光透過部材１４を透過してきた透過光は、同部材の表面に描かれた模様、文字を含む記号、絵柄などに対応した画像を形成し、第二の光出射面Ｂに写し出される。
【００２５】
また、光透過部材１４は、部分的に光の拡散状態を変えることで画像が形成されるように構成することもできる。たとえば、アクリル板などの透明な平板の表面を削って模様、文字を含む記号、絵柄などを描けば、削られた表面の微細な凹凸によって、透過する光の拡散状態が変化する。このように拡散状態が変化した透過光によって、平板に描かれた模様、文字を含む記号、絵柄などに対応した画像が形成され、第二の光出射面Ｂに写し出される。
【００２６】
さて、光透過部材１４の表面に塗料を塗る手法や、表面を削る手法などを用いて、透過光が画像を形成した場合、長期間の使用により光透過部材１４の表面が摩耗して、意図する画像が得られなくなってしまう可能性がある。
そこで、図４に示すように、光透過部材１４の内部に傷１４ｃや空洞１４ｄを形成して、光の透過率や光の拡散状態を部分的に変える領域を設けることで、長期間にわたり画像が劣化しない高い耐久性を有する光透過部材１４を製作することもできる。
光透過部材１４の内部における光の透過率または光の拡散状態を部分的に変えることで、たとえば図４に矢印で示すように、正面または裏面の一方から入射して他方から出射した透過光が画像を形成する。
なお、光透過部材１４の内部に傷１４ｃや空洞１４ｄを形成する技術は、公知のレーザー加工技術によって実現されているので、これを利用して光透過部材１４を製作すればよい。
【００２７】
また、図５に示すように、複数種類の光透過部材１４を層状に重ねて配置できるように光透過部材配置部１３を構成し、層状に重ねた光透過部材１４のそれぞれを透過してきた透過光によって第二の光出射面Ｂに画像が写し出される構成とすることもできる。
たとえば、一枚の光透過部材１４に背景画を描き、他の光透過部材１４に中心となる絵柄を描いて、背景画の上に中心となる絵柄を配置することで、立体感のある絵模様の画像を第二の光出射面Ｂに写し出すことが可能となる。
層状に重ねた光透過部材１４は、その一部または全部を交換することで、第二の光出射面Ｂに写し出す画像を容易に変更することができる。
なお、図５に示した光透過部材配置部１３は、凹溝で構成され、複数種類の光透過部材１４を層状に重ねて嵌め込むようにしてある。
【００２８】
また、図６に示すように、複数種類の光透過部材１４を並べて配置できるように光透過部材配置部１３を構成し、光透過部材１４のそれぞれを透過してきた透過光によって第二の光出射面Ｂに画像が写し出される構成とすることもできる。並べて配置した光透過部材１４は、その一部または全部を交換することで、第二の光出射面Ｂに写し出す画像を容易に変更することができる。
【００２９】
なお、本発明は、上述した実施形態に限定されるものではなく、種々の変形実施や応用実施が可能であることは勿論である。
たとえば、本発明のＬＥＤ照明装置は、卓上ＬＥＤスタンドへの適用に用途が限定されるものではなく、たとえば展示品の照明器具としても利用することもできる。その場合、第一の光出射面Ａから出射された照射光によって展示品を照らし、第二の光出射面Ｂに光透過部材１４からの透過光をもって展示品の名称や簡単な説明など画像で写し出せば、展示品を説明するためのプレートを別に用意する必要がなくなる。
【符号の説明】
【００３０】
１：：基台、２：支持部、３：操作部、４：照射部本体、５：スイッチ、６：ＤＣプラグ、７：電源接続端子、
１０：上フレーム、１１：下フレーム、１２：導光板、１３：光透過部材配置部、１１ａ：位置決め凸部、１４：光透過部材、１４ａ：位置決め孔、１４ｂ：透孔、１４ｃ：傷、１４ｄ：空洞、１５：拡散板、１６：拡散板、２０：ＬＥＤ光源、
Ａ：第一の光出射面、Ｂ：第二の光出射面
【図１】
2018190598.tif 000003
【図２】
2018190598.tif 000004
【図３】
2018190598.tif 000005
【図４】
2018190598.tif 000006
【図５】
2018190598.tif 000007
【図６】
2018190598.tif 000008